(57)【特許請求の範囲】
【請求項１】
円環状の基板と、前記基板の一表面に設けられた複数のＬＥＤと、を有するリングライトにおいて、
第１間隔をあけて一列に周方向に配置された前記ＬＥＤからなる第１ＬＥＤ群と、
前記第１ＬＥＤ群の内周側において第２間隔をあけて一列に周方向に配置された前記ＬＥＤからなる第２ＬＥＤ群と、
前記両ＬＥＤ群に属するＬＥＤから照射された光を拡散する円環状の拡散板と、を備え、
前記第１ＬＥＤ群のＬＥＤの個数と、前記第２ＬＥＤ群のＬＥＤの個数とは同一であり、前記第１のＬＥＤ群のＬＥＤは、前記第２のＬＥＤ群の隣り合う２つのＬＥＤの間に配置され、
前記拡散板は、前記第１ＬＥＤ群の隣り合う２つのＬＥＤから照射される光の重なる領域である第１重複領域と、前記第２ＬＥＤ群の隣り合う２つのＬＥＤから照射される光の重なる領域である第２重複領域とにわたって設置される、
ことを特徴とするリングライト。
【請求項２】
前記拡散板は、平板であると共に前記基板の一表面に平行に設置されることを特徴とする請求項１に記載のリングライト。
【請求項３】
前記拡散板は、前記基板の一表面からの距離が、前記第２ＬＥＤ群側より前記第１ＬＥＤ群側を遠くなるように傾斜して設置されることを特徴とする請求項１に記載のリングライト。
【請求項４】
前記拡散板は、前記第１ＬＥＤ群の所定のＬＥＤおよびこのＬＥＤに隣り合う前記第２ＬＥＤ群のＬＥＤからそれぞれ照射される光の重なる領域である第３重複領域と、前記第１重複領域と、前記第２重複領域とにわたって設置されることを特徴とする請求項３に記載のリングライト。
【発明の詳細な説明】
【技術分野】
【０００１】
本発明は、ＬＥＤを周方向に設置したリングライトに係り、特に、撮影用レンズに接続されて使用されるリングライトに関する。
【背景技術】
【０００２】
一般に、リングライトは、静止画（画像）を撮るスチールカメラや、動画（映像）を撮るフィルムカメラ（ムービーカメラまたはビデオカメラ）に接続されて使用される。このうち、スチールカメラ用のリングライトは、ストロボとして使用されることが多い。また、ビデオカメラ用のリングライトは、従来、比較的大型で重い物が多く、カメラマンが持ち運ぶことを前提としたハンディカメラのような機動性のあるカメラに対して接続することには適さない。また、従来、デジタルカメラ等のカメラに取り付けられるリングライトが知られている（例えば、特許文献１参照）。
【０００３】
特許文献１に記載のリングライトは、リング状基板と、電気的光源と、電池ケースに収納された電源と、スイッチとを備えてなり、小型軽量とする工夫がなされている。ここで、電気的光源は、複数のＬＥＤランプ素子（以下、単にＬＥＤという）とその配線を含み、複数のＬＥＤは、リング状基板に円周方向に間隔をあけて１列で取り付けられている。
また、従来、複数のＬＥＤを円周方向に１列で配設する代わりに、複数のＬＥＤを半径方向に並べ、かつ、放射状に配設したリングライトも知られている。
【０００４】
また、静止画ではなく動画を撮影する場合には、複数のＬＥＤを長時間連続して発光させ続けなくてはならないため、ＬＥＤの発光によって生じた熱を効率よく放出しなければならない。そこで、連続発光できるように放熱機構を設けたリングライトが知られている。
【特許文献１】特開２００３−１７７４５４号公報（段落０００９〜００２０、図３および図４）
【発明の開示】
【発明が解決しようとする課題】
【０００５】
しかしながら、特許文献１に記載のリングライトで設けられたＬＥＤは砲弾形ＬＥＤでありパワーが弱い。このため、図９（ａ）に示すように、このリングライト１０１を、カメラレンズを備えたレンズ部１１０に接続すると共に、このレンズ部１１０を撮影用のカメラ本体１２０に装着して、被写体の映像（または画像）を撮影するためにＬＥＤを発光させた場合には、リング状に配置された複数の点状の光源９０１を形成することとなる。その結果、被写体の照明効果にムラができてしまう。具体的には、演出のために、人物の瞳に「一様なリング」を映した映像（アイキャッチ）を撮影しようとする場合には、図９（ｂ）に示すように、人物の瞳９０２に、点状の光源９０１を反映した点状のリングが映った状態で撮影されてしまうこととなる。
【０００６】
また、複数のＬＥＤを半径方向に並べ、かつ、放射状に配設したリングライトの場合には、同様に複数の点光源となったり、放射状に配置された線光源となったりする。したがって、従来のリングライトは、全体としてリング状の面一の光源（面光源）を形成することが困難であるという問題がある。
【０００７】
また、放熱機構を有する従来のリングライトは、その放熱機構のために、リングライト自体が大型となってしまうという問題がある。
また、面光源を形成するために、リングライトのＬＥＤの個数自体を増やしたり、配設密度を高めたり、ハイパワーのＳＭＤ型（Surface Mount Device、表面実装型）ＬＥＤを使用したりした場合には、ＬＥＤの発熱量が増加してしまうこととなる。したがって、面光源の形成に際して、ＬＥＤの発熱を考慮したＬＥＤの配置が要求されている。
さらに、リングライトの小型化によりリングライトの内径が小さくなり過ぎると、リングライトに撮影用ワイドレンズが接続された場合に、ミキレ（照明器具が画面に入ってしまうこと）が生じてしまうという問題も発生する。
【０００８】
本発明は、以上のような問題点に鑑みてなされたものであり、面光源を形成できるリングライトを提供することを目的とする。
【課題を解決するための手段】
【０００９】
前記目的を達成するために、本発明の請求項１に記載のリングライトは、円環状の基板と、前記基板の一表面に設けられた複数のＬＥＤと、を有するリングライトにおいて、第１間隔をあけて一列に周方向に配置された前記ＬＥＤからなる第１ＬＥＤ群と、前記第１ＬＥＤ群の内周側において第２間隔をあけて一列に周方向に配置された前記ＬＥＤからなる第２ＬＥＤ群と、円環状の拡散板とを備えると共に、前記第１ＬＥＤ群のＬＥＤの個数と、前記第２ＬＥＤ群のＬＥＤの個数とは同一であり、前記第１のＬＥＤ群のＬＥＤは、前記第２のＬＥＤ群の隣り合う２つのＬＥＤの間に配置されることとした。
【００１０】
かかる構成によれば、リングライトは、拡散板によって、前記両ＬＥＤ群に属するＬＥＤから照射された光を拡散する。ここで、拡散板は、前記第１ＬＥＤ群の隣り合う２つのＬＥＤから照射される光の重なる領域である第１重複領域と、前記第２ＬＥＤ群の隣り合う２つのＬＥＤから照射される光の重なる領域である第２重複領域とにわたって設置される。
【００１１】
これによれば、拡散板には、第１ＬＥＤ群の隣り合う２つのＬＥＤから照射される光が重なって入射されると共に、第２ＬＥＤ群の隣り合う２つのＬＥＤから照射される光が重なって入射される。したがって、入射光を効率よく拡散することができ、その結果、面光源を形成することができる。ここで、第１重複領域および第２重複領域の光軸方向において所定の幅があるため、拡散板は、第１重複領域および第２重複領域の所定の幅のうち、ＬＥＤに最も近い位置に配設されることが好ましい。
また、リングライトは、第１ＬＥＤ群のＬＥＤの個数と、第２ＬＥＤ群のＬＥＤの個数とが同一であり、かつ、第１ＬＥＤ群のＬＥＤと第２ＬＥＤ群のＬＥＤとが互い違いに配置されるので、面光源を形成し易くなる。
【００１２】
また、請求項２に記載のリングライトは、請求項１に記載のリングライトにおいて、前記拡散板は平板であると共に前記基板の一表面に平行に設置されることとした。
【００１３】
かかる構成によれば、リングライトは拡散板の構造が単純なので、容易に製造できる。また、リングライトは、拡散板が平板であると共に基板の一表面に平行に設置されるので、拡散板から第１ＬＥＤ群のＬＥＤまでの距離と、拡散板から第２ＬＥＤ群のＬＥＤまでの距離とは等しくなる。また、第１間隔と第２間隔とが異なるので、拡散板は、基板の一表面からの距離が、第１ＬＥＤ群のＬＥＤから第１重複領域までの長さと、第２ＬＥＤ群のＬＥＤから第２重複領域までの長さとの平均値と等しいことが好ましい。
【００１４】
また、請求項３に記載のリングライトは、請求項１に記載のリングライトにおいて、前記拡散板が、前記基板の一表面からの距離が、前記第２ＬＥＤ群側より前記第１ＬＥＤ群側を遠くなるように傾斜して設置されることとした。
【００１５】
かかる構成によれば、リングライトは、第１ＬＥＤ群のＬＥＤの個数と、第２ＬＥＤ群のＬＥＤの個数とが等しいので、第１ＬＥＤ群のＬＥＤから第１重複領域までの長さが、第２ＬＥＤ群のＬＥＤから第２重複領域までの長さよりも長いが、拡散板は、第２ＬＥＤ群側より第１ＬＥＤ群側を遠くなるように傾斜しているので、確実に第１重複領域と第２重複領域とにわたって設置することができる。また、第１間隔と、第２間隔と、第１ＬＥＤ群の半径と第２ＬＥＤ群の半径との差とを独立に定めることが可能となる。
【００１６】
また、請求項４に記載のリングライトは、請求項３に記載のリングライトにおいて、前記拡散板が、前記第１ＬＥＤ群の所定のＬＥＤおよびこのＬＥＤに隣り合う前記第２ＬＥＤ群のＬＥＤからそれぞれ照射される光の重なる領域である第３重複領域と、前記第１重複領域と、前記第２重複領域とにわたって設置されることとした。
【００１７】
かかる構成によれば、リングライトは、第１ＬＥＤ群のＬＥＤ同士の位置関係と、第２ＬＥＤ群のＬＥＤ同士の位置関係とに加えて、第１ＬＥＤ群の所定のＬＥＤと、このＬＥＤに隣り合う第２ＬＥＤ群の２つのＬＥＤとの相対的な位置関係に基づいて、拡散板の傾斜を定めることができるので、面光源を形成し易くなる。
【発明の効果】
【００１８】
請求項１に記載の発明によれば、隣り合う２つのＬＥＤから照射される光が重なって入射される位置に拡散板を設けたので、面光源を形成できる。
請求項２に記載の発明によれば、拡散板の構造が単純なので、リングライトを容易に製造できる。
【００１９】
請求項３に記載の発明によれば、拡散板が傾斜しているので、拡散板を確実に第１重複領域と第２重複領域とにわたって設置することができる。
請求項４に記載の発明によれば、内周側のＬＥＤと外周側のＬＥＤとの間の相関を反映して拡散板の傾斜を定めることができるので、面光源を形成し易くなる。
【発明を実施するための最良の形態】
【００２０】
以下、本発明の実施の形態について図面を参照して説明する。
（第１の実施形態）
第１の実施形態に係るリングライトの構成について図１乃至図３を参照して説明する。
図１は、本発明の第１の実施形態に係るリングライトの平面図であり、図２は、図１に示したリングライトのＡ−Ａ線断面矢視図であり、図３は、図１に示したリングライトのＢ−Ｂ線断面矢視図である。
【００２１】
リングライト１は、レンズ部１０に接続されて使用される。このレンズ部１０は、カメラレンズ１１と、ライト接続枠１２と、フィルタ部１３とを備えている。
カメラレンズ１１は、例えば、ハイビジョン映像の撮影用ワイドレンズであり、その中心が、リングライト１の中心と同軸上にある。
ライト接続枠１２は、リングライト１と接続するためにレンズ部１０の先端に配設されたアダプタである。
フィルタ部１３は、カメラレンズ１１の前方に各種フィルタを保持するものであり、ここでは、リングライト１とカメラレンズ１１との間に２個設けられている。
なお、レンズ部１０は、基端がカメラ本体２０（図６参照）に装着されて使用される。
【００２２】
リングライト１は、図１乃至図３に示すように、基板２と、複数のＬＥＤ３（３ａ，３ｂ）と、拡散板４と、レンズ接続部材５と、ヒートシンク６とを備えている。なお、ＬＥＤ３への給電用の電源コード（図示しない）が、リングライト１の頂上部（図１上方）に接続されている。これにより、操作者がレンズ部１０を操作するときに、電源コード（図示しない）が邪魔になることはない。
【００２３】
基板２は、円環状に形成されており、一表面に複数のＬＥＤ３が設けられており、他表面にヒートシンク６が形成されている。この基板２は、ヒートシンク６と同一の軽量な金属、例えば、アルミニウム等で構成される。また、基板２は、レンズ接続部材５を介して、カメラレンズ１１が接続されたときに、カメラレンズ１１の撮影可能範囲が、基板２の内径よりも小さくなるように、内径とレンズ接続部材５の配設位置とが定められている。
【００２４】
ＬＥＤ３は、高輝度の白色ＬＥＤであり、例えば、ＳＭＤ型ＬＥＤから構成される。複数（図１では４８個）のＬＥＤ３は、基板２上に第１間隔をあけて一列に周方向に配置されたＬＥＤ３ａからなる第１ＬＥＤ群と、この第１ＬＥＤ群の内周側において第２間隔をあけて一列に周方向に配置されたＬＥＤ３ｂからなる第２ＬＥＤ群とを構成している。
ＬＥＤ３ａの個数と、ＬＥＤ３ｂの個数とは同一である。また、ＬＥＤ３ａは、隣り合う２つのＬＥＤ３ｂの間に配置される（チドリ配置）。つまり、ＬＥＤ３ａと、このＬＥＤ３ａと隣り合う２つのＬＥＤ３ｂの中間位置とを結ぶ直線は、基板２の半径方向に一致している。
【００２５】
拡散板４は、円環状であり、ＬＥＤ３ａおよびＬＥＤ３ｂからそれぞれ照射された光を拡散するものであり、隣り合う２つのＬＥＤ３ａから照射される光の交わる領域である第１重複領域と、隣り合う２つのＬＥＤ３ｂから照射される光の交わる領域である第２重複領域とにわたって設置される。この拡散板４は、基板２の一表面からの距離が、第２ＬＥＤ群側より第１ＬＥＤ群側を遠くなるように傾斜して設置される。
【００２６】
ここで、第１重複領域および第２重複領域について図４を参照して説明する。図４は、図１に示した隣り合うＬＥＤから照射される光の説明図であり、（ａ）は外周側、（ｂ）は内周側をそれぞれ示している。
図４（ａ）に示すように、隣り合う２つのＬＥＤ３ａは、基板２上に第１間隔Ｄａをあけて配置されている。各ＬＥＤ３ａは、光を放射角度θで照射する。これにより、各ＬＥＤ３ａから照射される光は、各ＬＥＤ３ａから高さ（距離）Ｈａの位置で交わる。この高さＨａの位置を含む図中上方の領域が第１重複領域である。
【００２７】
また、図４（ｂ）に示すように、隣り合う２つのＬＥＤ３ｂは、基板２上に第２間隔Ｄｂ（＜Ｄａ）をあけて配置されている。各ＬＥＤ３ｂは、光を放射角度θで照射する。これにより、各ＬＥＤ３ｂから照射される光は、各ＬＥＤ３ｂから高さ（距離）Ｈｂ（＜Ｈａ）の位置で交わる。この高さＨｂの位置を含む図中上方の領域が第２重複領域である。
【００２８】
図２および図３に示すように、拡散板４は、内側円環部４１と、外側円環部４２と、円輪部４３とから構成されている。
内側円環部４１は、基端が基板２の内周側縁部に接続され、基板２の内周に沿って周状に垂直に立設している。この内側円環部４１の高さ（幅）は、隣り合う２つのＬＥＤ３ｂから照射される光の交わる領域である第２重複領域のうち、ＬＥＤ３ｂに最も近い位置までの高さ、つまり高さＨｂ（図４（ｂ）参照）であることが好ましい。
【００２９】
外側円環部４２は、基端が基板２の外周側縁部に接続され、基板２の外周に沿って周状に垂直に立設している。この内側円環部４１の高さ（幅）は、隣り合う２つのＬＥＤ３ａから照射される光の交わる領域である第１重複領域のうち、ＬＥＤ３ａに最も近い位置までの高さ、つまり高さＨａ（図４（ａ）参照）であることが好ましい。
【００３０】
円輪部４３は、所定の傾斜を有した円錐台の側面部である。円輪部４３は、内周側が内側円環部４１の先端に接続されると共に、外周側が外側円環部４２の先端に接続される。この円輪部４３を基板２へ投影した形状は、基板２と同様な円環となる。また、円輪部４３は、透明または半透明でＬＥＤ３の光を透過して拡散する材料、例えば、ガラスや合成樹脂等で構成される。なお、内側円環部４１および外側円環部４２は、不透明（例えば黒色）でＬＥＤ３の光を遮蔽または吸収する材料、例えば、金属または合成樹脂等で構成される。
【００３１】
ここで、拡散板４の傾斜角度について図５を参照して説明する。図５は、拡散板の傾斜角度の説明図である。図５に示すＬＥＤ３ｂは、第２ＬＥＤ群のうちの１つを示す基準ＬＥＤであり、図５に示すＬＥＤ３ａは、この基準ＬＥＤであるＬＥＤ３ｂに隣り合っている。例えば、ＬＥＤ３ｂが、図１において図中最上部（１２時の位置）にある場合に、ＬＥＤ３ａは、ＬＥＤ３ｂの左右いずれかの方向に位置することとなる。図５は、基準ＬＥＤであるＬＥＤ３ｂの位置と、基板２の中心とを結ぶ直線（半径方向の直線）でリングライト１を切断した断面（切断面）を示している。したがって、ＬＥＤ３ａとＬＥＤ３ｂとの距離として、ＬＥＤ３ｂを切断面上に投影したときの仮の距離が図示されており、また、ＬＥＤ３ｂからの光を示す照射範囲として、ＬＥＤ３ｂがＬＥＤ３ａから正しい距離の場所に仮に配置された場合の仮の照射範囲が図示されている。そのため、図５では、ＬＥＤ３ｂと照射範囲とのずれが示されている。
【００３２】
拡散板４の傾斜角度は、例えば、次のようにして定めることができる。
まず、基準ＬＥＤであるＬＥＤ３ｂについて、水平方向に内周側に向かって第２間隔Ｄｂ（図４（ｂ）参照）の半分の値だけ離間した位置において、第２重複領域までの高さがＨｂ（図４（ｂ）参照）である地点を内周側端点として定める。
【００３３】
次に、ＬＥＤ３ａについて、水平方向に外周側に向かって第１間隔Ｄａ（図４（ａ）参照）の半分の値だけ離間した位置において、第１重複領域までの高さがＨａ（図４（ａ）参照）である地点を外周側端点として定める。ここで、仮にＬＥＤ３ａが切断面上にあるものとしたときの位置を水平方向の基点とする。そして、内周側端点と外周側端点とを結ぶ直線を求める。このときに水平面からの角度αを拡散板４の傾斜角度とする。角度αは、５〜６°であることが好ましい。
【００３４】
なお、拡散板４は、ＬＥＤ３ａおよびこのＬＥＤ３ａに隣り合うＬＥＤ３ｂからそれぞれ照射される光の重なる領域である第３重複領域と、前記した第１重複領域と、前記した第２重複領域とにわたって設置されるようにしてもよい。これによれば、基板２上において、ＬＥＤ３ａの配設された位置の半径と、ＬＥＤ３ｂの配設された位置の半径との平均半径の円周上における、光の重複領域を反映できるので、ＬＥＤ３を発光させたときに、見た目に一様性が向上した面光源を形成できる。
【００３５】
図１乃至図３に戻って説明を続ける。
レンズ接続部材５は、リングライト１の他表面側で、リングライト１と、レンズ部１０のライト接続枠１２とを接続する部材である。このレンズ接続部材５は、図１および図２に示すように、レンズ部１０と接続される際の垂直方向の上下にそれぞれ設けられている。これは、横長のハイビジョン用のアスペクト比（１６：９）に対応してリングライト１の内周の水平方向の画角（図３の破線参照）を、垂直方向の画角（図２の破線参照）よりも広くとり、かつ、リングライト１を支持する充分な強度を確保するためである。さらに、レンズ接続部材５の基板２への配設位置は、カメラレンズ１１の前方にフィルタ部１３を設けた状態で、ミキレが生じないような位置に接続されている。
【００３６】
ヒートシンク６は、ＬＥＤ３からの光の照射に伴って生じる熱を放出するものである。このＬＥＤ３の熱は、主としてＬＥＤ３の基端に発生するので、ヒートシンク６を基板２の他表面に形成することで効率よく放熱できる。その結果、ＬＥＤ３を連続発光させることが可能となるので、リングライト１を動画撮影時に使用できる。ヒートシンク６は、ＬＥＤ３の個数、基板２のサイズおよび放熱効率等に基づいて、板の個数（間隔）や長さが定められている。例えば、図３に示すように、ヒートシンク６は、板の個数がＬＥＤ３の個数程度であることが好ましく、また、板の長さが、拡散板４と基板２との間の距離程度であることが好ましい。
【００３７】
図６は、図１に示したリングライトの作用の説明図であって、（ａ）はリングライトの発光、（ｂ）は（ａ）の発光が人物の瞳に映った様子をそれぞれ示している。
リングライト１を、図６（ａ）に示すように、レンズ部１０に接続すると共に、このレンズ部１０を撮影用のカメラ本体２０に装着して、被写体の映像（または画像）を撮影するためにＬＥＤ３を発光させた場合には、リング状の発光面（面光源）６０１を形成することとなる。その結果、被写体に一様な照明効果を及ぼすこととなる。具体的には、演出のために、人物の瞳に「一様なリング」を映した映像（アイキャッチ）を撮影しようとする場合には、図６（ｂ）に示すように、人物の瞳６０２に、リング状の発光面（面光源）６０１を反映したリングが映った状態で撮影できる。
【００３８】
なお、リングライト１の中心は、レンズ部１０のカメラレンズ１１（図１乃至図３参照）の中心と同軸上にあるため、人物の顔を照らす照明として用いた場合に、目尻、鼻、あご等の影が出ないという効果を奏する。また、リングライト１のＬＥＤ３は、照射方向（先端）に向かって発熱しないので、重要文化財の撮影、昆虫や植物撮影時の接写ライトとしても使用可能である。
【００３９】
第１の実施形態のリングライト１によれば、隣り合う２つのＬＥＤ３から照射される光の重なる第１重複領域および第２重複領域にわたって拡散板４を設置したので、面光源を形成することができる。また、複数のＬＥＤ３をリング状に２列にチドリ配置したので、１列に配置した場合と比較して面光源を形成し易くなる。また、２列のＬＥＤ３（３ａ，３ｂ）により照度が向上し、放送用ハイビジョンカメラの照明器具として充分な照度を確保することができる。また、ヒートシンク６を基板２に一体で形成したので、高輝度の白色ＬＥＤを長時間使用しても発光で生じる熱を効率よく放出できる。
【００４０】
（第２の実施形態）
図７は、本発明の第２の実施形態に係るリングライトの構成を示す模式図であって、（ａ）は平面図、（ｂ）は（ａ）におけるＣ−Ｃ線断面矢視図をそれぞれ示している。
図７に示したリングライト１Ａは、レンズ部１０に接続されて使用される。レンズ部１０は、図１乃至図３で説明したものと同一である。
【００４１】
リングライト１Ａは、基板２Ａと、複数のＬＥＤ３（３ａ，３ｂ）と、拡散板４Ａと、レンズ接続部材５Ａと、ヒートシンク６Ａとを備えている。
基板２Ａおよびヒートシンク６Ａは、図１に示した基板２およびヒートシンク６と同様なので説明を省略する。リングライト１Ａに設けられたＬＥＤ３は、個数（図７（ａ）では３０個）が異なるだけで、図１に示したＬＥＤ３と同一である。リングライト１Ａには、それぞれ１５個ずつのＬＥＤ３ａおよびＬＥＤ３ｂが設けられている。
【００４２】
拡散板４Ａは、円環状の平板であると共に、基板２Ａに平行に設置される点を除いて、図１乃至図３に示した拡散板４と同様なものである。つまり、拡散板４Ａは、ＬＥＤ３ａからの距離と、ＬＥＤ３ｂからの距離とが同一である。この拡散板４Ａは、図７（ｂ）に示すように、内側円環部４１Ａと、外側円環部４２Ａと、円輪部４３Ａとから構成されている。
【００４３】
内側円環部４１Ａおよび外側円環部４２Ａは、高さ（幅）が互いに等しい点を除いて、図２および図３に示した内側円環部４１および外側円環部４２と同様なものである。
内側円環部４１Ａの高さ（ＬＥＤ３ａから拡散板４Ａまでの距離）と、外側円環部４２Ａの高さ（ＬＥＤ３ｂから拡散板４Ａまでの距離）とは、ＬＥＤ３ａから第１重複領域までの長さと、ＬＥＤ３ｂから第２重複領域までの長さとの平均値と等しいことが好ましい。つまり、内側円環部４１Ａおよび外側円環部４２Ａの高さ（幅）は、好ましくは、Ｈａ（図４（ａ）参照）に相当する高さと、Ｈｂ（図４（ｂ）参照）に相当する高さとの平均の高さである。
【００４４】
レンズ接続部材５Ａは、リングライト１の一表面側で、リングライト１Ａと、レンズ部１０のライト接続枠１２とを接続する部材である。このレンズ接続部材５Ａは、図７に示すように、基板２Ａの内周に沿った円環部を有すると共に、この円環部から突出して基板２Ａにネジ止めするための複数（図７では３個）の突起部を有している。
【００４５】
第２の実施形態によれば、リングライト１Ａは、拡散板４Ａの構造が、図２および図３に示した拡散板４と比較して単純なので、容易に製造できる。したがって、簡易な構成で面光源を形成することが可能となる。
【００４６】
（第３の実施形態）
本発明の第３の実施形態のリングライトは、拡散板４Ａ（図７参照）が、円環状の平板であり、ＬＥＤ３ｂ（図７参照）が、ＬＥＤ３ａ（図７参照）から第１重複領域までの長さと、ＬＥＤ３ｂ（図７参照）から第２重複領域までの長さとの差だけ、ＬＥＤ３ａ（図７参照）よりも高い位置に配設される点を除いて、図７に示したリングライト１Ａと同一なので全体の構成の図示を省略する。
【００４７】
図８は、本発明の第３の実施形態のリングライトに設けられたＬＥＤと、当該ＬＥＤに隣り合うＬＥＤとから照射される光の説明図である。
図８に示すように、ＬＥＤ３ｂは、長さＨａ’と長さＨｂ’との差だけ、ＬＥＤ３ａよりも高い位置に配設されている。ここで、長さＨａ’は、図４（ａ）に示した長さＨａに対応する長さであり、長さＨｂ’は、図４（ｂ）に示した長さＨｂに対応する長さである。つまり、第３の実施形態のリングライトの基板２Ａは、内周側が外周側に比べて隆起している。なお、図８では、基板２Ａ（図７参照）の表面にステップ（段差）を有するものとして示しているが、滑らかな勾配を有して隆起させるように構成してもよい。
【００４８】
また、ＬＥＤ３ａとそれに最も近いＬＥＤ３ｂとは、基板２Ａ（図７参照）上で距離Ｄｃだけ離れて設けられている。ＬＥＤ３ａとＬＥＤ３ｂは、光を放射角度θで照射する。これにより、ＬＥＤ３ａとＬＥＤ３ｂとがそれぞれ照射する光は、ＬＥＤ３ａから高さ（距離）Ｈａに相当する高さの位置、すなわち、ＬＥＤ３ｂから高さ（距離）Ｈｂに相当する高さの位置で交わる。照射される光が交わった位置を含む図中上方の領域が第３重複領域である。
【００４９】
ここで、第３の実施形態のリングライトは、隣り合う２つのＬＥＤ３ａ同士では、図４（ａ）に示した高さＨａに相当する高さの関係が保持されており、また、隣り合う２つのＬＥＤ３ｂ同士では、図４（ｂ）に示した高さＨｂに相当する高さの関係が保持されている。なお、図８に示した断面図において照射される光が交わった位置は、対応する平面図（図７）では、基板２Ａ上において、ＬＥＤ３ａの配設された位置の半径と、ＬＥＤ３ｂの配設された位置の半径との平均半径の円周上に存在することとなる。
【００５０】
第３の実施形態によれば、リングライト１Ａは、拡散板４Ａの構造が、図２および図３に示した拡散板４と比較して単純なので、容易に製造できる。また、ＬＥＤ３ａの間隔（第１間隔）と、ＬＥＤ３ｂの間隔（第２間隔）と、第１ＬＥＤ群の半径と第２ＬＥＤ群の半径との差とを独立に設計することができる。
【００５１】
以上、各実施形態に基づいて本発明を説明したが、本発明はこれらに限定されるものではない。例えば、撮影中にリングライト１がレンズ部１０からはずれて落下することを防止するために、リングライト１に落下防止用の鎖等を設けて、この落下防止用の鎖等をカメラ本体２０に接続して使用するようにしてもよい。
【図面の簡単な説明】
【００５２】
【図１】本発明の第１の実施形態に係るリングライトの平面図である。
【図２】図１に示したリングライトのＡ−Ａ線断面矢視図である。
【図３】図１に示したリングライトのＢ−Ｂ線断面矢視図である。
【図４】図１に示した隣り合うＬＥＤから照射される光の説明図であり、（ａ）は外周側、（ｂ）は内周側をそれぞれ示している。
【図５】拡散板の傾斜角度の説明図である。
【図６】図１に示したリングライトの作用の説明図であって、（ａ）はリングライトの発光、（ｂ）は（ａ）の発光が人物の瞳に映った様子をそれぞれ示している。
【図７】本発明の第２の実施形態に係るリングライトの構成を示す模式図であって、（ａ）は平面図、（ｂ）は（ａ）におけるＣ−Ｃ線断面矢視図をそれぞれ示している。
【図８】本発明の第３の実施形態のリングライトに設けられたＬＥＤと、当該ＬＥＤに隣り合うＬＥＤとから照射される光の説明図である。
【図９】従来のリングライトの作用の説明図であって、（ａ）はリングライトの発光、（ｂ）は（ａ）の発光が人物の瞳に映った様子をそれぞれ示している。
【符号の説明】
【００５３】
１，１Ａ  リングライト
２，２Ａ  基板
３（３ａ，３ｂ）  ＬＥＤ
４，４Ａ  拡散板
４１，４１Ａ  内側円環部
４２，４２Ａ  外側円環部
４３，４３Ａ  円輪部
５，５Ａ  レンズ接続部材
６，６Ａ  ヒートシンク
１０    レンズ部
１１    カメラレンズ
１２    ライト接続枠
１３    フィルタ部
２０    カメラ本体
【図１】
0004839095.tif 000002
【図２】
0004839095.tif 000003
【図３】
0004839095.tif 000004
【図４】
0004839095.tif 000005
【図５】
0004839095.tif 000006
【図６】
0004839095.tif 000007
【図７】
0004839095.tif 000008
【図８】
0004839095.tif 000009
【図９】
0004839095.tif 000010